(57)【要約】【課題】  乳幼児等が風呂場等で楽しんで遊戯することができ、飽きの来ない様々な動きを行う水遊び玩具を提供する。【解決手段】  本考案の水遊び玩具1は、水の排水機構を備えた台座4と、台座4上に配置された複数の家模型と、放水によって稼動する複数の可動機構と、を備え、この複数の可動機構は、円形パネル31が前ケース8の前面と平行に回転する平行回転機構61と、方形パネル35が回転する水平軸回転機構62と、獅子脅し人形36が回動する獅子脅し回動機構63と、昇降人形42が昇降稼動する昇降可動機構64と、屈折パネル44の左右両端が前後に回動を繰り返す反復回動機構65と、飛び出しパネル46が煙突から突出又は収納されるパネル入出機構66と、回転人形52が回転する人形回転機構67と、振り子パネル54が左右に回動する振り子機構68と、回転パネル55が回転する縦軸回転機構69と、から形成されているものである。【選択図】      図２
0003144855.tif 000002
【実用新案登録請求の範囲】
【請求項１】
水の排水機構を備えた台座と、該台座上に配置された複数の家模型と、放水によって稼動する複数の可動機構と、を備え、
前記複数の家模型は、前ケースと後ケースから形成され、可動機構として、略上下中央部に水平左右方向の回転軸を有する板状の方形パネルが組み込まれた窓と、水平左右方向の回転軸を有する昇降用水車が組み込まれた窓と、縦方向の回転軸を有する人形回転用水車が組み込まれた窓と、縦方向の回動軸を有し前後に回動する屈折パネルが組み込まれた窓と、水平前後方向の回動軸を有する獅子脅し人形が配置される屋根と、昇降人形が昇降稼動する梯子と、板状の飛び出しパネルが可動に組み込まれた煙突と、縦方向の回転軸を有する回転人形が配置される凹部と、が形成されていることを特徴とする水遊び玩具。
【請求項２】
前記複数の可動機構は、水平前後方向の回転軸を有する複数の円形パネルが前記前ケースの前面と平行に回転する平行回転機構と、前記方形パネルが回転する水平軸回転機構と、前記獅子脅し人形が回動する獅子脅し回動機構と、前記昇降人形が昇降稼動する昇降可動機構と、前記屈折パネルの左右両端が前後に回動を繰り返す反復回動機構と、前記飛び出しパネルが前記煙突から突出又は収納されるパネル入出機構と、前記回転人形が縦方向の回転軸を中心に回転する人形回転機構と、水平前後方向の回動軸を有する板状の振り子パネルが左右に回動する振り子機構と、縦方向の回転軸を有する板状の回転パネルが回転する縦軸回転機構と、から形成されていることを特徴とする水遊び玩具。
【請求項３】
前記複数の家模型の内で一つの家模型は、前記前ケースの前面に配置された複数の前記円形パネルと、該円形パネルの上方に位置する入水窓と、該入水窓の近傍に位置し前記方形パネルが組み込まれた窓と、上端に位置する屋根と、該屋根の前方に位置し前記前ケースに軸着された前記獅子脅し人形と、を備えることを特徴とする請求項２に記載の水遊び玩具。
【請求項４】
前記前ケースの前方であって前記台座上に消防車模型が配置され、
前記複数の家模型の内で一つの家模型は、前記消防車模型の上端近傍から上方に向かって延設されたジグザグ形状の昇降レールと、該昇降レールの前方に配置される前記昇降人形と、前記昇降レールの近傍に位置し昇降用水車が組み込まれた窓と、該昇降用水車が組み込まれた窓の上方に位置し前記屈折パネルが組み込まれた窓と、上端近傍に形成された屋根と、該屋根に形成されＬ字パネルが組み込まれた天窓と、該屋根の上端に位置し前記飛び出しパネルが組み込まれた前記煙突と、を備えることを特徴とする請求項２又は請求項３に記載の水遊び玩具。
【請求項５】
前記複数の家模型の内で一つの家模型は、下方に位置し人形回転用水車が組み込まれた窓と、該人形回転用水車が組み込まれた窓の上方に位置し前記回転人形が配置された凹部と、該凹部の上方に位置し前記振り子パネルと係合する係合パネルが組み込まれた窓と、前記係合パネルと係合して回動する前記振り子パネルと、上端に配置された前記回転パネルと、を備えることを特徴とする請求項２乃至請求項４のいずれかに記載の水遊び玩具。
【請求項６】
前記平行回転機構は、前記複数の円形パネルと、該円形パネルと前記前ケースを介して前記円形パネルに連結される複数の平面回転用水車と、から構成され、前記入水窓から入水した水が前記平面回転用水車を回転させることにより前記円形パネルが水平前後方向の回転軸を中心に回転することを特徴とする請求項３乃至請求項５のいずれかに記載の水遊び玩具。
【請求項７】
前記昇降可動機構は、前記昇降人形と、前記昇降レールと、水平左右方向の回転軸を中心に回転する前記昇降用水車と、前記昇降人形と前記昇降レールを介して連結されるラック部材と、該ラック部材と前記昇降用水車を連動させるピニオンギアを備えた歯車群と、から構成され、前記昇降用水車が放水によって回転すると前記歯車群が回転して前記ラック部材を縦方向に稼動させ、該ラック部材と連結された前記昇降人形が前記昇降レールに沿って上下に稼動することを特徴とする請求項４乃至請求項６のいずれかに記載の水遊び玩具。
【請求項８】
前記パネル入出機構は、前記Ｌ字パネルと、前記飛び出しパネルと、から構成され、前記Ｌ字パネルは、水平左右方向の回動軸を有し、屈折部の両端部分で前記天窓における窓枠の上端両側近傍に軸着され、前記Ｌ字パネルの上面へ前記飛び出しパネルの下端が接触載置されており、前記Ｌ字パネルの垂下部が放水によって背面上方に回動すると、前記飛び出しパネルがＬ字パネルの上面によって上方に押し上げられ、前記煙突から上方に突出することを特徴とする請求項４乃至請求項７のいずれかに記載の水遊び玩具。
【請求項９】
前記人形回転機構は、縦方向の回転軸を中心に回動する前記人形回転用水車と、前記回転人形と、ターンテーブルと、から構成され、前記人形回転用水車は、横向きに配置され、回転軸の上端が上方に延設されて水車軸を形成しており、水車軸の上端に前記ターンテーブルが連結され、該ターンテーブル上に前記回転人形が載置され、前記人形回転用水車が放水によって回転すると、前記水車軸を介してターンテーブルが回転し、該ターンテーブル上に載置された前記回転人形が回転することを特徴とする請求項５乃至請求項８のいずれかに記載の水遊び玩具。
【請求項１０】
前記振り子機構は、前記係合パネルと、前記振り子パネルと、から構成され、前記係合パネルは、水平左右方向の回動軸を有し、下方に重りが係着され、該重りの上方近傍位置で窓枠に軸着され、前記振り子パネルは、パネル部と略Ｌ字形状のアーム部とから形成され、該アーム部の屈折部で前記前ケースの裏面に軸着され、該アーム部の先端は前記係合パネルの近傍に位置し、
前記係合パネルが放水によって回動すると、該係合パネルの裏面に前記振り子パネルのアーム部を圧接させ、該振り子パネルが回動してパネル部が側方に突出することを特徴とする請求項５乃至請求項９のいずれかに記載の水遊び玩具。
【請求項１１】
前記各パネル及び人形は、乳幼児に人気のあるキャラクターが描かれる或いはキャラクターを模した模型とされていることを特徴とする請求項１乃至請求項１０のいずれかに記載の水遊び玩具。
【請求項１２】
前記複数の可動機構に放水する放水具を備え、該放水具は、押上ポンプと、該押上ポンプが吸い上げた水が流れる水流管と、放水口と、を有し、キャラクターを模した模型の外観に形成されていることを特徴とする請求項１乃至請求項１１のいずれかに記載の水遊び玩具。
【考案の詳細な説明】
【技術分野】
【０００１】
本考案は、水遊び玩具に関する。
【背景技術】
【０００２】
子供が風呂場やプールなどで遊ぶための水遊び玩具について、多くの提案がされ、又、多くの商品が販売されている。例えば、実登第３０３９３７７号の公報（特許文献１）では、底部にコックを備えた水タンクがあり、当該水タンクに水を溜め、コックから水を水車に向けて放出することによって水車を回転させ、水車の回転により複数の作動部が連動して動作する玩具が提案されている。
【０００３】
又、実登第３０９８４５０号の公報（特許文献２）では、浴槽水を電動ポンプで汲み上げ、玩具本体に設けられている打たせ湯の放水口や蛇口、シャワー等から放水する玩具について提案がなされている。
【特許文献１】実用新案登録第３０３９３７７号公報
【特許文献２】実用新案登録第３０９８４５０号公報
【考案の開示】
【考案が解決しようとする課題】
【０００４】
本考案は、乳幼児等が風呂場等で楽しんで遊戯することができ、飽きの来ない様々な動きを行う水遊び玩具を提供することを目的としている。
【課題を解決するための手段】
【０００５】
本考案の水遊び玩具は、水の排水機構を備えた台座と、該台座上に配置された複数の家模型と、放水によって稼動する複数の可動機構と、を備え、前記複数の家模型は、前ケースと後ケースから形成され、可動機構として、略上下中央部に水平左右方向の回転軸を有する板状の方形パネルが組み込まれた窓と、水平左右方向の回転軸を有する昇降用水車が組み込まれた窓と、縦方向の回転軸を有する人形回転用水車が組み込まれた窓と、縦方向の回動軸を有し前後に回動する屈折パネルが組み込まれた窓と、水平前後方向の回動軸を有する獅子脅し人形が配置される屋根と、昇降人形が昇降稼動する梯子と、板状の飛び出しパネルが可動に組み込まれた煙突と、縦方向の回転軸を有する回転人形が配置される凹部と、が形成されているものである。
【０００６】
又、前記複数の可動機構は、水平前後方向の回転軸を有する複数の円形パネルが前記前ケースの前面と平行に回転する平行回転機構と、前記方形パネルが回転する水平軸回転機構と、前記獅子脅し人形が回動する獅子脅し回動機構と、前記昇降人形が昇降稼動する昇降可動機構と、前記屈折パネルの左右両端が前後に回動を繰り返す反復回動機構と、前記飛び出しパネルが前記煙突から突出又は収納されるパネル入出機構と、前記回転人形が縦方向の回転軸を中心に回転する人形回転機構と、水平前後方向の回動軸を有する板状の振り子パネルが左右に回動する振り子機構と、縦方向の回転軸を有する板状の回転パネルが回転する縦軸回転機構と、から形成されているものである。
【０００７】
更に、前記複数の家模型の内で一つの家模型は、前記前ケースの前面に配置された複数の前記円形パネルと、該円形パネルの上方に位置する入水窓と、該入水窓の近傍に位置し前記方形パネルが組み込まれた窓と、上端に位置する屋根と、該屋根の前方に位置し前記前ケースに軸着された前記獅子脅し人形と、を備えるものである。
【０００８】
又、前記前ケースの前方であって前記台座上に消防車模型が配置され、前記複数の家模型の内で一つの家模型は、前記消防車模型の上端近傍から上方に向かって延設されたジグザグ形状の昇降レールと、該昇降レールの前方に配置される前記昇降人形と、前記昇降レールの近傍に位置し昇降用水車が組み込まれた窓と、該昇降用水車が組み込まれた窓の上方に位置し前記屈折パネルが組み込まれた窓と、上端近傍に形成された屋根と、該屋根に形成されＬ字パネルが組み込まれた天窓と、該屋根の上端に位置し前記飛び出しパネルが組み込まれた前記煙突と、を備えるものである。
【０００９】
更に、前記複数の家模型の内で一つの家模型は、下方に位置し人形回転用水車が組み込まれた窓と、該人形回転用水車が組み込まれた窓の上方に位置し前記回転人形が配置された凹部と、該凹部の上方に位置し前記振り子パネルと係合する係合パネルが組み込まれた窓と、前記係合パネルと係合して回動する前記振り子パネルと、上端に配置された前記回転パネルと、を備えるものである。
【００１０】
そして、前記平行回転機構は、前記複数の円形パネルと、該円形パネルと前記前ケースを介して前記円形パネルに連結される複数の平面回転用水車と、から構成され、前記入水窓から入水した水が前記平面回転用水車を回転させることにより前記円形パネルが水平前後方向の回転軸を中心に回転するものである。
【００１１】
又、前記昇降可動機構は、前記昇降人形と、前記昇降レールと、水平左右方向の回転軸を中心に回転する前記昇降用水車と、前記昇降人形と前記昇降レールを介して連結されるラック部材と、該ラック部材と前記昇降用水車を連動させるピニオンギアを備えた歯車群と、から構成され、前記昇降用水車が放水によって回転すると前記歯車群が回転して前記ラック部材を縦方向に稼動させ、該ラック部材と連結された前記昇降人形が前記昇降レールに沿って上下に稼動するものである。
【００１２】
更に、前記パネル入出機構は、前記Ｌ字パネルと、前記飛び出しパネルと、から構成され、前記Ｌ字パネルは、水平左右方向の回動軸を有し、屈折部の両端部分で前記天窓における窓枠の上端両側近傍に軸着され、前記Ｌ字パネルの上面へ前記飛び出しパネルの下端が接触載置されており、前記Ｌ字パネルの垂下部が放水によって背面上方に回動すると、前記飛び出しパネルがＬ字パネルの上面によって上方に押し上げられ、前記煙突から上方に突出するものである。
【００１３】
又、前記人形回転機構は、縦方向の回転軸を中心に回動する前記人形回転用水車と、前記回転人形と、ターンテーブルと、から構成され、前記人形回転用水車は、横向きに配置され、回転軸の上端が上方に延設されて水車軸を形成しており、水車軸の上端に前記ターンテーブルが連結され、該ターンテーブル上に前記回転人形が載置され、前記人形回転用水車が放水によって回転すると、前記水車軸を介してターンテーブルが回転し、該ターンテーブル上に載置された前記回転人形が回転するものである。
【００１４】
更に、前記振り子機構は、前記係合パネルと、前記振り子パネルと、から構成され、前記係合パネルは、水平左右方向の回動軸を有し、下方に重りが係着され、該重りの上方近傍位置で窓枠に軸着され、前記振り子パネルは、パネル部と略Ｌ字形状のアーム部とから形成され、該アーム部の屈折部で前記前ケースの裏面に軸着され、該アーム部の先端は前記係合パネルの近傍に位置し、前記係合パネルが放水によって回動すると、該係合パネルの裏面に前記振り子パネルのアーム部を圧接させ、該振り子パネルが回動してパネル部が側方に突出するものである。
【００１５】
そして、前記各パネル及び人形は、乳幼児に人気のあるキャラクターが描かれる或いはキャラクターを模した模型とされているものである。
【００１６】
又、水遊び玩具は、前記複数の可動機構に放水する放水具を備え、該放水具は、押上ポンプと、該押上ポンプが吸い上げた水が流れる水流管と、放水口と、を有し、キャラクターを模した模型の外観に形成されているものである。
【考案の効果】
【００１７】
本考案によれば、家模型に水又は湯を放水し、複数の可動機構を作動させて数多くの変化をすることにより、乳幼児等が風呂場等で楽しんで遊戯することができ、飽きの来ない様々な動きを行う水遊び玩具を提供することができる。
【考案を実施するための最良の形態】
【００１８】
本考案を実施するための最良の形態の水遊び玩具1は、水の排水機構を備えた台座4と、台座4上に配置された複数の家模型と、放水によって稼動する複数の可動機構と、を備え、複数の家模型は、前ケース8と後ケースから形成され、可動機構として、略上下中央部に水平左右方向の回転軸を有する板状の方形パネル35が組み込まれた窓と、水平左右方向の回転軸を有する昇降用水車43が組み込まれた窓と、縦方向の回転軸を有する人形回転用水車51が組み込まれた窓と、縦方向の回動軸を有し前後に回動する屈折パネル44が組み込まれた窓と、水平前後方向の回動軸を有する獅子脅し人形36が配置される屋根と、昇降人形42が昇降稼動する梯子と、板状の飛び出しパネル46が可動に組み込まれた煙突と、縦方向の回転軸を有する回転人形52が配置される凹部と、が形成されているものである。
【００１９】
又、複数の可動機構は、水平前後方向の回転軸を有する複数の円形パネル31が前ケース8の前面と平行に回転する平行回転機構61と、方形パネル35が回転する水平軸回転機構62と、獅子脅し人形36が回動する獅子脅し回動機構63と、昇降人形42が昇降稼動する昇降可動機構64と、屈折パネル44の左右両端が前後に回動を繰り返す反復回動機構65と、飛び出しパネル46が煙突から突出又は収納されるパネル入出機構66と、回転人形52が縦方向の回転軸を中心に回転する人形回転機構67と、水平前後方向の回動軸を有する板状の振り子パネル54が左右に回動する振り子機構68と、縦方向の回転軸を有する板状の回転パネル55が回転する縦軸回転機構69と、から形成されているものである。
【００２０】
更に、複数の家模型の内で一つの家模型は、前ケース8の前面に配置された複数の円形パネル31と、円形パネル31の上方に位置する入水窓32と、入水窓32の近傍に位置し方形パネル35が組み込まれた窓と、上端に位置する屋根と、屋根の前方に位置し前ケース8に軸着された獅子脅し人形36と、を備えるものである。
【００２１】
又、前ケース8の前方であって台座4上に消防車模型5が配置され、複数の家模型の内で一つの家模型は、消防車模型5の上端近傍から上方に向かって延設されたジグザグ形状の昇降レール41と、昇降レール41の前方に配置される昇降人形42と、昇降レール41の近傍に位置し昇降用水車43が組み込まれた窓と、昇降用水車43が組み込まれた窓の上方に位置し屈折パネル44が組み込まれた窓と、上端近傍に形成された屋根と、この屋根に形成されＬ字パネル45が組み込まれた天窓と、屋根の上端に位置し飛び出しパネル46が組み込まれた煙突と、を備えるものである。
【００２２】
更に、複数の家模型の内で一つの家模型は、下方に位置し人形回転用水車51が組み込まれた窓と、人形回転用水車51が組み込まれた窓の上方に位置し回転人形52が配置された凹部と、凹部の上方に位置し振り子パネル54と係合する係合パネル53が組み込まれた窓と、係合パネル53と係合して回動する振り子パネル54と、上端に配置された回転パネル55と、を備えるものである。
【００２３】
そして、平行回転機構61は、複数の円形パネル31と、円形パネル31と前ケース8を介して円形パネル31に連結される複数の平面回転用水車71と、から構成され、入水窓32から入水した水が平面回転用水車71を回転させることにより円形パネル31が水平前後方向の回転軸を中心に回転するものである。
【００２４】
又、昇降可動機構64は、昇降人形42と、昇降レール41と、水平左右方向の回転軸を中心に回転する昇降用水車43と、昇降人形42と昇降レール41を介して連結されるラック部材81と、ラック部材81と昇降用水車43を連動させるピニオンギアを備えた歯車群82と、から構成され、昇降用水車43が放水によって回転すると歯車群82が回転してラック部材81を縦方向に稼動させ、ラック部材81と連結された昇降人形42が昇降レール41に沿って上下に稼動するものである。
【００２５】
更に、パネル入出機構66は、Ｌ字パネル45と、飛び出しパネル46と、から構成され、Ｌ字パネル45は、水平左右方向の回動軸を有し、屈折部の両端部分で天窓における窓枠の上端両側近傍に軸着され、Ｌ字パネル45の上面へ飛び出しパネル46の下端が接触載置されており、Ｌ字パネル45の垂下部が放水によって背面上方に回動すると、飛び出しパネル46がＬ字パネル45の上面によって上方に押し上げられ、煙突から上方に突出するものである。
【００２６】
又、人形回転機構67は、縦方向の回転軸を中心に回動する人形回転用水車51と、回転人形52と、ターンテーブル91と、から構成され、人形回転用水車51は、横向きに配置され、回転軸の上端が上方に延設されて水車軸92を形成しており、水車軸92の上端にターンテーブル91が連結され、ターンテーブル91上に回転人形52が載置され、人形回転用水車51が放水によって回転すると、水車軸92を介してターンテーブル91が回転し、ターンテーブル91上に載置された回転人形52が回転するものである。
【００２７】
更に、振り子機構68は、係合パネル53と、振り子パネル54と、から構成され、係合パネル53は、水平左右方向の回動軸を有し、下方に重りが係着され、重りの上方近傍位置で窓枠に軸着され、振り子パネル54は、パネル部と略Ｌ字形状のアーム部とから形成され、アーム部の屈折部で前ケース8の裏面に軸着され、アーム部の先端は係合パネル53の近傍に位置し、係合パネル53が放水によって回動すると、係合パネル53の裏面に振り子パネル54のアーム部を圧接させ、振り子パネル54が回動してパネル部が側方に突出するものである。
【００２８】
そして、各パネル及び人形は、乳幼児に人気のあるキャラクターが描かれる或いはキャラクターを模した模型とされ、又、複数の可動機構に放水する放水具101を備え、放水具101は、押上ポンプ105と、押上ポンプ105によって吸い上げた水が流れる水流管106と、放水口107と、を有し、キャラクターを模した模型の外観に形成されているものである。
【実施例】
【００２９】
以下、本考案の実施例に係る水遊び玩具を図に基づいて詳説する。本考案における水遊び玩具1は、図１に示すように、家の形状を模した形状とされ、放水具からの放水によって稼動する複数の可動部を可動機構として備え、放水を受けて複数の可動部が稼動することにより遊戯者を楽しませることができる玩具である。
【００３０】
そして、この水遊び玩具1は、水の排水機構を備えた台座4と、台座4上に配置された三つの家模型である左ハウス21及び中ハウス22並びに右ハウス23と、台座4上であって中ハウス22の前方に配置された消防車模型5と、を有するものである。又、この台座4は、図２に示すように、中空で略方形状の厚板とされ、内部に外周縁から中央近傍に向かって傾斜するテーパー面11を有し、正面略中央にはテーパー面11に沿って中央に流れる水を外部に排水する図１に示した排水口12を備えるものである。又、左ハウス21及び中ハウス22並びに右ハウス23は、横方向に連結されて台座4上に配置されており、前ケース8と後ケースを対向させて形成されているものである。
【００３１】
又、左ハウス21は、下端近傍であって中ハウス22との境界近傍にキャラクター等の絵が描かれた玄関部が形成され、玄関部の左側方から上方に向かって回動可能とされる板状の三つの円形パネル31が配置され、三つの円形パネル31の内で最上方に位置する円形パネル31の上方には入水窓32が形成され、入水窓32と中ハウス22の間には板状の方形パネル35が組み込まれた窓が形成され、上方には左屋根が形成され、左屋根の上端には煙突が形成され、この左屋根の前方に獅子脅し人形36が軸着されているものである。
【００３２】
更に、中ハウス22は、左ハウス21の近傍であって消防車模型5の上端近傍から上方に梯子の絵が描かれ、梯子の絵が描かれた位置にジグザグ形状の昇降レール41が延設され、昇降レール41の前方には昇降稼動可能な昇降人形42が配置され、昇降レール41と右ハウス23との間には昇降用水車43が組み込まれた窓が形成され、昇降レール41及び昇降用水車43の上方近傍には屈折パネル44が組み込まれた窓が形成され、この屈折パネル44が組み込まれた窓の上方に中屋根が形成され、この中屋根にはＬ字パネル45が組み込まれた天窓が形成され、中屋根の上方に飛び出しパネル46が組み込まれた煙突が形成されているものである。
【００３３】
又、右ハウス23は、下方に人形回転用水車51が組み込まれた窓が形成され、この窓の上方に凹部が形成され、この凹部に回転人形52が配置され、凹部の上方に振り子パネル54と係止する係合パネル53が組み込まれた窓が形成され、この係合パネル53が組み込まれた窓の下方にはパネル受け58が突出して形成され、係合パネル53が組み込まれた窓の側方であって前ケース8の裏面に振り子パネル54が組み込まれ、上端に回転パネル55が配置されているものである。
【００３４】
そして、複数の可動機構は、図２に示したように、三つの円形パネル31が前ケース8の前面と平行に回転する平行回転機構61と、水平左右方向の回転軸を有する方形パネル35が回転する水平軸回転機構62と、獅子脅し人形36が回動する獅子脅し回動機構63と、昇降人形42が昇降稼動する昇降可動機構64と、縦方向の回動軸を有する屈折パネル44がその左右両端を前後に回動する回動動作を繰り返す反復回動機構65と、飛び出しパネル46が中ハウス22の煙突から突出又は煙突に収納されるパネル入出機構66と、回転人形52が縦方向の回転軸を中心に回転する人形回転機構67と、水平前後方向の回動軸を有する振り子パネル54が左右に回動する振り子機構68と、回転パネル55が縦方向の回転軸を中心に前後に回転する縦軸回転機構69と、から形成されているものである。
【００３５】
この平行回転機構61は、三つの円形パネル31と、円形パネル31に前ケース8を介して連結される三つの平面回転用水車71と、入水窓32の裏面側に配置される貯水箱72と、前ケース8の裏面側に形成された整流壁73とから構成されるものである。
【００３６】
そして、円形パネル31は、表面にキャラクター等の絵が描かれた円板形状であり、水平前後方向の回転軸を有し、中心位置で前ケース8を介して平面回転用水車71と連結され、最上方に位置する円形パネル31は入水窓32の直下に配置され、真ん中に位置する円形パネル31は方形パネル35が配置される窓の下方近傍に配置され、最下方に位置する円形パネル31は玄関の近傍に配置され、回転軸を左右にずらして前ケース8の前面に配置されているものである。
【００３７】
又、平面回転用水車71は、肉厚の円板形状であって外側面に複数の羽が形成されたものであり、中心を回転軸とし、この中心で前ケース8を介して円形パネル31の中心と連結されているものである。更に、三つの平面回転用水車71の外側面に形成された羽は、三つの平面回転用水車71において夫々異なるピッチで形成されており、回転速度を変化させているものである。又、三つの平面回転用水車71は、円形パネル31と同様に後述する貯水箱72の排水開口72aから下方に降ろした直線に対して左右にずらして配置されているものである。
【００３８】
更に、貯水箱72は、前面を開口とする箱型形状であり、下面に排水開口72aが形成され、入水窓32の裏面側に固定されているものである。又、整流壁73は、三つの平面回転用水車71の周縁を覆うように形成されており、上端は貯水箱72の排水開口72aと連結されているものである。
【００３９】
そして、この平行回転機構61は、入水窓32から水が入水すると、貯水箱72の排水開口72aから整流壁73に沿って水が流れ、この流水が平面回転用水車71を回転させ、平面回転用水車71と連結された円形パネル31が水平前後方向の回転軸を中心に前ケース8と平行に回転するものである。又、平面回転用水車71は、回転軸を左右にずらして配置されているため、貯水箱72の排水開口72aから流れ落ちる水は、最上方及び最下方に位置する平面回転用水車71と、真ん中に位置する平面回転用水車71を異なる方向に回転させるものであり、これによって真ん中に位置する円形パネル31のみ異なる回転方向となるものである。更に、三つの平面回転用水車71に形成された羽のピッチが異なるため、三つの円形パネル31は異なる回転速度で回転するものである。又、平面回転用水車71を回転させた流水は、その後、整流壁73の下端から台座4に流れ込み、台座4のテーパー面11に沿って流れ、排水口12から外部へ排水されるものである。
【００４０】
水平軸回転機構62は、板状の方形パネル35によって構成されるものであり、方形パネル35は、略方形状の薄板であって表裏両面にキャラクター等の絵が描かれ、水平左右方向の回転軸を有し、入水窓32の側方近傍に位置する窓の側枠に略上下中心位置で軸着されているものである。そして、水平軸回転機構62は、方形パネル35が放水を受けて前後方向に回転するものであり、方形パネル35が放水を受けている間は表裏両面に描かれた絵が窓から交互に登場するため、表裏両面の絵を見ることができるものである。
【００４１】
獅子脅し回動機構63は、獅子脅し人形36によって構成されるものであり、獅子脅し人形36は、キャラクターを模した形状に形成され、内部に貯水穴を備え、水平前後方向の回動軸を有し、中心から外れた位置で重心が下方に位置するように左ハウス21に軸着されているものである。そして、獅子脅し回動機構63は、獅子脅し人形36の貯水穴に水が貯まると、この水の重さによって獅子脅しの要領で回動するものであり、この回動によって貯水穴の水が排水され、自重によって再び元の位置に復帰するものである。
【００４２】
又、昇降可動機構64は、図２及び図３に示すように、昇降人形42と、昇降レール41と、昇降用水車43と、昇降人形42と昇降レール41を介して連結されるラック部材81と、ラック部材81と昇降用水車43を連動させるピニオンギアを備えた歯車群82とから構成されるものである。この昇降用水車43は、中心に軸穴を備え側面に複数の羽を有した円筒形状であり、水平左右方向の回転軸を有し、前ケース8の裏面に配設された水車カバー84に軸着されるものであり、回転軸の一端に歯車群82と噛合する歯車が取り付けられているものである。又、水車カバー84は、中空の半円柱形状であって前ケース8の裏面に固定されており、下方に排水穴を備えるものである。
【００４３】
又、昇降人形42は、図１に示したように、梯子を登る消防隊に扮したキャラクターの模型であり、裏面には図２に示したようにラック部材81と連結するための連結突起と体の傾きを変化させるための貫挿突起とを備えるものである。
【００４４】
更に、ラック部材81は、ギア部と、連結部とから形成され、ギア部は細長の略角丸直方体形状であり、背面には歯車群82のピニオンギアと噛合する歯と、縦方向の摺動を支持する二本の摺動支持軸85が貫挿する支持レールとが形成されているものである。又、連結部は、ギア部の側面の所定の位置から外方に突出して形成され、昇降人形42の連結突起が貫挿する貫挿穴を有しているものである。更に、この貫挿穴は、横方向に長く形成されているものであり、ジグザグ形状の昇降レール41に沿って昇降人形42の連結突起が上下に稼動する場合に横方向への動きを可能にしているものである。尚、摺動支持軸85は、前ケース8の裏面に、後方に突出するように二本形成されているものであり、この二本の摺動支持軸85は縦方向に並設して形成されているものである。
【００４５】
そして、昇降人形42は、連結突起及び貫挿突起が昇降レール41を貫挿するように配置され、ラック部材81は、摺動支持軸85が支持レール内に位置し昇降人形42の連結突起が連結部を貫挿するように配置され、歯車群82は、ラック部材81と昇降用水車43との間であってラック部材81の歯及び昇降用水車43の歯車と噛合するように配置されているものである。
【００４６】
そして、昇降可動機構64は、昇降用水車43が放水によって回転すると、歯車群82を介してラック部材81が摺動支持軸85に沿って上下に稼動し、ラック部材81と連結された昇降人形42が昇降レール41に沿って上下に稼動するものである。又、昇降レール41がジグザグ形状に形成されており、昇降人形42は連結突起及び貫挿突起の二本が昇降レール41を貫挿しているため、昇降レール41に沿って昇降人形42が稼動すると、体の傾きが左右に変化するものであり、梯子を登っている時に重心移動しているような外観となるものである。更に、昇降用水車43を回転させた水は、昇降用水車43の羽から水車カバー84に流れ、水車カバー84の排水口から台座4に流れ込み、台座4のテーパー面11に沿って流れて台座4の排水口12から外部へ排水されるものである。
【００４７】
反復回動機構65は、屈折パネル44によって構成されるものであり、この屈折パネル44は、方形状の板が中央で折り曲げられ、頂角を鈍角とする略Ｌ字形状の断面を有した板であり、外面を形成する二面に異なるキャラクターの顔が描かれ、縦方向の回動軸を屈折パネル44の左右の中心位置に有しているものである。又、屈折パネル44が組み込まれた窓は、左右の窓と、左右の窓を区画する中央枠とを有し、中央枠の裏面側上下端部には軸受け部が後方に突出するように形成され、屈折パネル44は、中央枠の裏面側に屈折部の辺を平行に位置させ、キャラクターの顔が描かれている面が前面に位置するように、軸受け部に軸着されているものである。
【００４８】
そして、この反復回動機構65は、屈折パネル44に放水された水が当たると、屈折パネル44が軸を中心に左右の面が前後に回動し、二面に描かれた異なる絵が左右の窓のいずれかから見えることになり、二つの窓から異なるキャラクターが交互に顔を出すような外観となるものである。
【００４９】
パネル入出機構66は、Ｌ字パネル45と、飛び出しパネル46とから構成されるものである。このＬ字パネル45は、断面が略Ｌ字形状の板であって、外面の一面にキャラクターの絵が描かれ、水平左右方向の回動軸を屈折部近傍に有して一面を垂下部とし、他面を水平部としており、Ｌ字を形成する頂点部分の辺の両端近傍が天窓を形成する窓枠の上端近傍に軸着され、前ケース8の裏面側上方へと回動可能とされるものである。又、Ｌ字パネル45の外面におけるキャラクターの絵が描かれていない一面には、飛び出しパネル46の下端が接触載置されているものである。
【００５０】
又、飛び出しパネル46は、方形状の板であって前面に炎或いは煙の絵が描かれており、下端がＬ字パネル45に接触させられ、中ハウス22の上端に位置する煙突部分の内側に配置されているものである。更に、中ハウス22の煙突部分、つまり前ケース8と後ケースの間には、飛び出しパネル46が貫挿する開口が形成されているものである。
【００５１】
そして、パネル入出機構66は、Ｌ字パネル45に放水された水が当たると、Ｌ字パネル45が軸を中心に裏面上方へと回動し、Ｌ字パネル45と連結された飛び出しパネル46は上方に押し上げられて中ハウス22の煙突部分から上方へと飛び出すものである。又、放水が止まるとＬ字パネル45は自重及び飛び出しパネル46の重さによって下方に回動し、Ｌ字パネル45と連結された飛び出しパネル46は中ハウス22の煙突部分に収納されるものである。
【００５２】
人形回転機構67は、人形回転用水車51と、回転人形52と、ターンテーブル91とから構成されるものである。この人形回転用水車51は、昇降用水車43と略同一の形状であって、縦方向の回転軸を有し、前ケース8の裏面に配設された水車カバー95に横方向に軸着されているものであり、回転軸の上端は上方に延設して水車軸92を形成しているものである。又、水車カバー95は、中空の半円柱形状であって、直径が横方向となるように前ケース8の裏面に固定されており、下方に排水口を備え、上面に水車軸92が貫挿する軸穴が形成されているものである。
【００５３】
更に、ターンテーブル91は、円板形状であって、中心に水車軸92が連結されており、人形回転用水車51が回転すると共に回転するものである。又、回転人形52は、キャラクターを模した模型であり、ターンテーブル91の上面に載置されているものである。
【００５４】
そして、人形回転機構67は、放水によって人形回転用水車51が回転すると、人形回転用水車51と水車軸92を介して連結されているターンテーブル91も共に回転し、ターンテーブル91上に載置されている回転人形が回転するものである。又、人形回転用水車51を回動させた水は、水車カバー95の開口から台座4へ流れ込み、台座4のテーパー面11に沿って流れて台座4の排水口12から外部へ排水されるものである。
【００５５】
振り子機構68は、係合パネル53と、振り子パネル54とから構成されるものである。この係合パネル53は、略方形状の板であって、前面にキャラクターの絵が描かれ、水平左右方向の回動軸を有し、下端近傍には重りが固定されているものであり、重りが固定された位置の上方近傍で、係合パネル53が組み込まれた窓の下方に軸着されているものである。
【００５６】
又、前ケース8の係合パネル53の重りが固定された位置の前方には、図１に示したパネル受け58が形成され、右ハウス23の外側面であって前ケース8と後ケースの間には、振り子パネル54が貫挿する開口が形成されているものである。このパネル受け58は、断面が頂角を９０度とする扇形形状で、方形状の上面と、上面の両側辺に接続された扇形形状の二枚の側面と、二枚の側面の円弧部分に接続された曲面とから形成されるものであり、係合パネル53が配置される窓の下端近傍位置で前ケース8に固定されているものである。又、このパネル受け58の円弧部分の半径は、係合パネル53の回動軸から下端までの距離よりも長く形成されており、係合パネル53が回動した場合でも係合パネル53の下端がパネル受け58の曲面と接触しないように形成されているものである。
【００５７】
又、振り子パネル54は、キャラクター等の顔が描かれた板状のパネル部と、パネル部の所定の位置から延設した略Ｌ字型形状のアーム部とから形成され、水平前後方向の回動軸を有し、アーム部の屈折部には軸穴が形成され、この軸穴の近傍に前ケース8に形成された回動止めと係止する係止アームが突出するように形成されているものである。更に、この振り子パネル54は、軸穴の部分で前ケース8の裏面に回動可能に軸着されており、回動止めに係止アームが係合し、アーム部の先端は係合パネル53の後方に位置しているものである。
【００５８】
そして、振り子機構68は、放水によって係合パネル53が後下方に回動すると、係合パネル53の裏面と振り子パネル54のアーム部の先端近傍が接触し、係合パネル53が振り子パネル54のアーム部の先端近傍を下方へと押し下げることにより、振り子パネル54が軸を中心として回動し、振り子パネル54のパネル部が前ケース8と後ケースの間の開口から外方に突出するものである。又、係合パネル53は、放水された水によって下方に回動するが、下端がパネル受け58の上面と接触すると回動を停止し、放水が止まると下端に固定された重りの自重によって前上方へと回動するものである。更に、係合パネル53が前上方へと回動すると、振り子パネル54のアーム部と係合パネル53との接触圧接が外れ、振り子パネル54は、パネル部の自重によって回動軸を中心に回動し、パネル部は右ハウス23の内部に収納され、係止アームと回動止めが係止して回動を停止するものである。
【００５９】
縦軸回転機構69は、板状の回転パネル55によって構成されるものであり、この回転パネル55は、表裏両面に例えば風見鶏のような絵が描かれ、縦方向の回転軸をその略中心に有し、右ハウス23の上端に回転可能に軸着されているものである。そして、縦軸回転機構69は、放水の水が回転パネル55に当たると回転し、放水が止まると回転を停止するものである。
【００６０】
次に、放水具について述べる。放水具101は、図４に示すように、押上ポンプ105と、押上ポンプが押し上げる水が流れる水流管106と、水を放水する放水口107と、押上ポンプ105の電力源となる電池が収納される電池収納部108とを備えるものである。又、放水具101の外観は、水遊び玩具1において使用されたキャラクターと関連性のあるキャラクターが消防士に扮した形状とされており、放水口107は、消防ポンプの噴霧口を模した形状とされている。更に、キャラクターの手が放水口107を把持しているような形状とされており、放水口107から放水されると、消防士に扮したキャラクターが放水しているような外観となるものである。
【００６１】
そして、本実施例によれば、家模型に水又は湯を放水し、複数の可動機構を作動させて数多くの変化をすることにより、乳幼児等が風呂場等で楽しんで遊戯することができ、飽きの来ない様々な動きを行う水遊び玩具を提供することができる。
【００６２】
又、円形パネル31のように水平前後方向の回転軸を有したパネル、方形パネル35のように水平左右方向の回転軸を有したパネル、屈折パネル44のように前後に反復回動するパネル、飛び出しパネル46のように上方に飛び出すパネル、振り子パネル54のように側方に飛び出すパネル、回転パネル55のように縦方向の回転軸を有したパネル等、様々なパネルが多様な動きをすることにより一つの水遊び玩具1で様々な嗜好を提供することができる。更に、獅子脅し人形36、昇降人形42、回転人形52のように立体の人形が稼動することにより、遊戯者を一層楽しませることもできる。
【００６３】
そして、各パネルや人形が乳幼児等に人気のあるキャラクターと関連性を持って形成されていることにより、主遊戯者となる乳幼児等がキャラクターと共に消火活動をしている気分を味わうことができるため、乳幼児等が楽しんで遊戯可能な水遊び玩具1を提供できる。
【００６４】
更に、放水具101として消防隊に扮したキャラクターを模した人形を備えることにより、キャラクターが消火しているような外観となるため、水遊び玩具1の楽しさをより増すことができるものである。
【図面の簡単な説明】
【００６５】
【図１】本考案の実施例における水遊び玩具の正面図。
【図２】本考案の実施例における水遊び玩具の背面視断面図。
【図３】本考案の実施例における水遊び玩具の側断面端面図。
【図４】本考案の実施例における放水具の断面図。
【符号の説明】
【００６６】
1  玩具                                  4  台座
5  車両模型                              8  前ケース
11  テーパー面                           12  排水口
21  左ハウス                             22  中ハウス
23  右ハウス                             31  円形パネル
32  入水窓                               35  方形パネル
36  獅子脅し人形                         41  昇降レール
42  昇降人形                             43  昇降用水車
44  屈折パネル                           45  Ｌ字パネル
46  飛び出しパネル                       51  人形回転用水車
52  回転人形                             53  係合パネル
54  振り子パネル                         55  回転パネル
58  パネル受け                           61  平行回転機構
62  水平軸回転機構                       63  獅子脅し回動機構
64  昇降可動機構                         65  反復回動機構
66  パネル入出機構                       67  人形回転機構
68  振り子機構                           69  縦軸回転機構
71  平面回転用水車                       72  貯水箱
72a  排水開口                            73  整流壁
81  ラック部材                           82  歯車群
84  水車カバー                           85  摺動支持軸
91  ターンテーブル
92  水車軸                               95  水車カバー
101  放水具                              105  押上ポンプ
106  水流管                              107  放水口
108  電池収納部
【図１】
0003144855.tif 000003
【図２】
0003144855.tif 000004
【図３】
0003144855.tif 000005
【図４】
0003144855.tif 000006
【手続補正書】
【提出日】平成20年7月10日(2008.7.10)
【手続補正１】
【補正対象書類名】実用新案登録請求の範囲
【補正対象項目名】請求項２
【補正方法】変更
【補正の内容】
【請求項２】
前記複数の可動機構は、水平前後方向の回転軸を有する複数の円形パネルが前記前ケースの前面と平行に回転する平行回転機構と、前記方形パネルが回転する水平軸回転機構と、前記獅子脅し人形が回動する獅子脅し回動機構と、前記昇降人形が昇降稼動する昇降可動機構と、前記屈折パネルの左右両端が前後に回動を繰り返す反復回動機構と、前記飛び出しパネルが前記煙突から突出又は収納されるパネル入出機構と、前記回転人形が縦方向の回転軸を中心に回転する人形回転機構と、水平前後方向の回動軸を有する板状の振り子パネルが左右に回動する振り子機構と、縦方向の回転軸を有する板状の回転パネルが回転する縦軸回転機構と、から形成されていることを特徴とする請求項１に記載の水遊び玩具。